(57)【要約】【課題】極めて簡易な構成として、低価格化を図りつつ、優れた集魚効果を発揮し、その結果、釣果を上げることができる疑似餌を提供することを課題とする。【解決手段】疑似餌１００が、多数本の黒色の繊維１を具備し、これらの多数本の黒色の繊維１の一端側を束ねて成る構成とする。このような疑似餌１００によれば、極めて簡易な構成であることから、低価格化を図りつつ、優れた集魚効果を発揮することができ、その結果、釣果を上げることができるようになる。【選択図】図１
2008113627.tif 000002
【特許請求の範囲】
【請求項１】
多数本の黒色の繊維のその一端側を束ねて成る疑似餌。
【請求項２】
前記多数本の繊維の周囲に沿って複数が配置され、その一端側が前記繊維の一端側の周囲に取り付けられたフィルム状のシートを備えることを特徴とする請求項１記載の疑似餌。
【発明の詳細な説明】
【技術分野】
【０００１】
本発明は、疑似餌に関する。
【背景技術】
【０００２】
従来、疑似針として、ハリスを結び付けたアゴ付の針と、ハリスの針への結び目部位に夜光チューブで取り付けた複数本のミノ毛とを備え、このミノ毛が、針の高さの２倍前後の長さを有すると共に海水中の針の移動や海流により容易になびく弾力性を有し、且つ、透明乃至半透明の材料より構成されてオーロラの光の色に類似する色を発する構成のものが知られている（例えば、特許文献１参照）。この疑似針にあっては、上記構成のミノ毛や夜光チューブを備える疑似餌（ルアーとも称す）により、釣果が上がるとされている。
【特許文献１】特開２０００−１２５７０１号公報
【発明の開示】
【発明が解決しようとする課題】
【０００３】
しかしながら、上記疑似餌にあっては、集魚を図るための構成要素が多く、高価なものになってしまう。
【０００４】
本発明は、このような課題を解決するために成されたものであり、低価格化を図りつつ、優れた集魚効果を発揮し、その結果、釣果を上げることができる疑似餌を提供することを目的とする。
【課題を解決するための手段】
【０００５】
ここで、本発明者は、鋭意研究を重ね種々の実験を行い、多数本の黒色の繊維のその一端側を束ねて成るものを疑似餌として用いれば、優れた集魚効果を発揮し、釣果を上げることができることを確認した。
【０００６】
そこで、本発明による疑似餌は、多数本の黒色の繊維のその一端側を束ねて成ることを特徴としている。
【０００７】
このような疑似餌によれば、多数本の黒色の繊維のその一端側を束ねるという極めて簡易な構成で低価格化を図りつつ、上述のように優れた集魚効果を発揮し、その結果、釣果を上げることができる。
【０００８】
ここで、多数本の繊維の周囲に沿って複数が配置され、その一端側が繊維の一端側の周囲に取り付けられたフィルム状のシートを備えるようにしても良い。
【発明の効果】
【０００９】
このように本発明による疑似餌によれば、低価格化を図りつつ、優れた集魚効果を発揮し、その結果、釣果を上げることが可能となる。
【発明を実施するための最良の形態】
【００１０】
以下、本発明に係る疑似餌の好適な実施形態について添付図面を参照しながら説明する。図１は、本発明の第一実施形態に係る疑似餌を示す斜視図である。
【００１１】
図１に示すように、疑似餌１００は、多数本の黒色の繊維１のその一端側を束ねて成るものであり、多数本の黒色の繊維１と、これらの黒色の繊維１の一端側を束ねた束ね部２と、を備えている。
【００１２】
多数本の黒色の繊維１は、疑似餌１００を取り付けた釣り針の水中での移動や水流等により容易になびくものである。この繊維１としては、種々のものを用いることができるが、例えば、ポリフッ化ビニリデン（以下ＰＶＤＦと記す）より成る糸を用いるのが好ましい。また、繊維を黒色とするには、例えば、繊維原料に黒色原料を混合し繊維を形成する方法や、繊維に黒色を塗布する方法や、繊維を黒色液に浸漬する方法等種々挙げられるが、繊維原料に黒色原料を混合する方法が好ましい。
【００１３】
束ね部２は、上記多数本の黒色の繊維１の一端側を束ねたものであり、ここでは、円錐状に構成されている。この束ね部２を形成するには、例えば、多数本の黒色の繊維１の一端側を纏めて結び、この結び目部分の周囲全体に同様な黒色の繊維１を巻き付け、この結び目部分及び巻き付けた繊維１を溶融固化して形成する方法や、多数本の黒色の繊維１の一端側を纏めて結び、この結び目部分を接着液に浸漬し固化して形成する方法等種々挙げられるが、前者の溶融固化して形成する方法が好ましい。
【００１４】
疑似餌１００の寸法、繊維１の本数、繊維径等は、釣り対象となる魚の大きさや種類によって適宜決められるが、種々の魚に対応するには、全長（束ね部２を含む）＝５〜５０ｃｍ、束ね部２の高さ（長さ）＝１〜１０ｃｍ、円周＝１〜８ｃｍ、全長：束ね部２の高さ＝１０：１〜４：１、繊維１の本数＝全長（ｃｍ）×２０〜全長（ｃｍ）×２００本、繊維径＝５０〜１０００μｍとするのが好ましい。
【００１５】
そして、このような疑似餌１００によれば、多数本の黒色の繊維１のその一端側を束ねるという極めて簡易な構成で低価格化を図りつつ、後述の実施例で詳説するが優れた集魚効果を発揮し、その結果、釣果を上げることができる。
【００１６】
図２は、本発明の第二実施形態に係る疑似餌を示す斜視図である。この第二実施形態の疑似餌２００が第一実施形態の疑似餌１００と違う点は、疑似餌１００にさらに複数のフィルム状のシート３を設けた点である。
【００１７】
複数のシート３は、多数本の黒色の繊維１の周囲に沿って互いに離間して配置され、その一端側が束ね部２の周囲に取り付けられ、疑似餌２００を取り付けた釣り針の水中での移動や水流等により容易になびくものである。シート３は、透明又は半透明であるのが好ましく、その長さは繊維１の長さに揃えるのが好ましい。このシート３を束ね部２に取り付けるには、シート３の一端側を加熱し束ね部２に融着する方法や、シート３の一端側を接着剤等により束ね部２に貼着する方法等種々挙げられるが、前者の融着する方法が好ましい。
【００１８】
そして、シート３の寸法、枚数等は、疑似餌１００（多数本の黒色の繊維１及び束ね部２）の寸法等によって適宜決められるが、厚さ＝０．０１〜０．２ｍｍ、幅＝３〜３０ｍｍ、枚数＝３〜２０枚とするのが好ましい。さらに好ましくは、厚さ＝０．０２〜０．１ｍｍ、幅＝５〜２０ｍｍ、枚数＝５〜１５枚とするのがよい。
【００１９】
このような構成を有する疑似餌２００にあっても、第一実施形態の疑似餌１００と同様に、低価格化を図りつつ、優れた集魚効果を発揮し、その結果、釣果を上げることができる。
【００２０】
以上、本発明をその実施形態に基づき具体的に説明したが、本発明は上記実施形態に限定されるものではない。
【実施例】
【００２１】
以下、上記効果を確認すべく本発明者が実施した実施例１〜３について述べる。
【００２２】
（実施例１）
ＰＶＤＦ１００部にカーボンブラック０．０８部を添加したＰＶＤＦ原料を用い、２７０°Ｃで溶融紡糸し、次いで、１５５°Ｃの乾熱で５．２５倍に１段延伸し、さらに、１７５°Ｃの乾熱で１０％緩和熱処理をして、糸径１７０μｍの黒色のＰＶＤＦ糸を作製した。この黒色のＰＶＤＦ糸を２１００本用い、糸束の一端側を結び、この結び目部分を、円錐状の治具の頂点部を覆うように被せると共に、結び目部分より下側の多数の糸が、円錐状の治具上にほぼ均一に散らばるようにし、さらに、結び目部分の周囲全体に、上記と同様な黒色のＰＶＤＦ糸を巻き付け、この結び目部分及び巻き付けたＰＶＤＦ糸を加熱し溶融固化させて、ほぼ円錐状の束ね部を形成し、円錐状の治具を取り外すことで、図１に示すのと同様な形状の黒色の疑似餌を得た。この疑似餌は、その寸法が、全長（束ね部を含む）３０ｃｍ、束ね部の高さ（長さ）５ｃｍ、円周５ｃｍ、束ね部より垂れ下がる糸長さ２５ｃｍである。
【００２３】
このようにして得られた疑似餌を、マグロ延縄漁に使用した。マグロ延縄漁の幹縄の長さは１００ｋｍ〜１６０ｋｍ、枝縄の長さは３０ｍ〜５０ｍ、枝縄間隔は４０ｍ〜６０ｍとした。幹縄は浮きブイ間で下方に湾曲して垂れ下がるようにし、枝縄は一方の浮きブイの近傍から他方の浮きブイの近傍まで設けた。そして、上記得られた疑似餌に対しては、その束ね部の頂点部を通り軸線方向に貫く貫通孔を設け、この貫通孔に枝縄を通し、垂れ下がるＰＶＤＦ糸群に隠れるように釣り針を枝縄先端に取り付け疑似針とした。この疑似針は、浮きブイ側の複数の枝縄のみに設けた。また、浮きブイ側の疑似針を有する枝縄の隣の９個の枝縄には、先端に釣り針を設けると共に当該釣り針にムロアジを餌として付けた。すなわち、浮きブイ側においては、餌を９個、疑似餌を１個の順で配置し（１０個のうち１個は疑似餌）、これら疑似餌と餌の深度を４０〜８０ｍとした。また、通常のマグロ延縄漁と同様に、浮きブイ側を除く全ての枝縄には、先端に釣り針を設けると共に当該釣り針にムロアジを餌として付け、当該餌の深度を８０〜２５０ｍとした。
【００２４】
その結果、通常マグロが掛かり難い深度の浅い浮きブイ側の位置（４０〜８０ｍ）で、疑似餌の両隣の餌を有する釣り針にマグロが掛かった。
【００２５】
（実施例２）
後日、実施例１と同様にしてマグロ延縄漁を行った。
【００２６】
その結果、通常マグロが掛かり難い深度の浅い浮きブイ側の位置（４０〜８０ｍ）の餌を有する釣り針には、今回はマグロが掛からなかったが、浮きブイ側の疑似餌を有する釣り針にはマグロが掛かった。
【００２７】
（実施例３）
実施例１の疑似餌を用い、その円錐状の束ね部の周囲に沿って、８枚の透明のＰＶＤＦピエゾフィルムを等間隔で取り付けた。ＰＶＤＦピエゾフィルムは、幅１０ｍｍ、厚さ０．０４ｍｍとし、束ね部より垂れ下がるフィルム長さが、束ね部より垂れ下がるＰＶＤＦ糸長さと同じとなるように当該フィルムの一端側を束ね部に重ね、当該一端側を加熱し束ね部に融着することで、図２に示すのと同様な形状の疑似餌を得た。そして、この複数枚のフィルムを有する疑似餌を実施例１、２の疑似餌に代えて用い、実施例１、２と同様にしてマグロ延縄漁を行った。
【００２８】
その結果、実施例２と同様に、深度の浅い浮きブイ側の位置の餌を有する釣り針には、マグロが掛からなかったが、浮きブイ側のフィルムを有する疑似餌の方にはマグロが掛かった。
【００２９】
以上、実施例１〜３より、本発明の疑似餌が、優れた集魚効果を発揮し、その結果、釣果を上げることが確認できた。
【図面の簡単な説明】
【００３０】
【図１】本発明の第一実施形態に係る疑似餌を示す斜視図である。
【図２】本発明の第二実施形態に係る疑似餌を示す斜視図である。
【符号の説明】
【００３１】
１…繊維、２…束ね部、３…シート、１００，２００…疑似餌。
【図１】
2008113627.tif 000003
【図２】
2008113627.tif 000004